(57)【特許請求の範囲】
【請求項１】
式（２）
【化１】
0004386976.tif 000002
（式中、Ｒ１ は、置換基を有していてもよい炭素数４以上の２価の炭化水素基を表す）
で示されるジアルデヒド類と、式（３）
【化２】
0004386976.tif 000003
（式中、Ｒ２ は置換基を有していてもよい低級アルキル基を表し、Ｒ３ は置換基を有していてもよい低級アルキル基または水素原子を表す）
で示されるケトン類と、水素とを、塩基性物質および水素添加触媒の存在下で反応させることからなる式（１）
【化３】
0004386976.tif 000004
（式中、Ｒ２ およびＲ３ は前記定義と同じであり、Ｒ４ はＲ１ と同一の基であるか、またはＲ１ が炭素−炭素不飽和結合を有する場合、該不飽和結合の少なくとも一部が水素添加されたものに相当する基であってもよい）
で示されるジケトン類の製造方法であって、該塩基性物質が、アルカリ金属の水酸化物、アルカリ土類金属の水酸化物、およびアルカリ金属の炭酸塩からなる群から選ばれる少なくとも一種の化合物であるジケトン類の製造方法。
【請求項２】
塩基性物質が、アルカリ金属水酸化物およびアルカリ土類金属水酸化物からなる群から選ばれる少なくとも一種の化合物である請求項１に記載のジケトン類の製造方法。
【請求項３】
式（３）のケトン類がアセトン（Ｒ２がメチル基であり、Ｒ３が水素原子である）である請求項１〜２のいずれか１項に記載のジケトン類の製造方法。
【発明の詳細な説明】
【０００１】
【発明の属する技術分野】
本発明は、ジケトン類の製造方法に関する。本発明の製造方法によって得られるジケトン類は、香料、医薬、農薬等の合成中間体として有用な化合物である。
【０００２】
【従来の技術】
１分子中にカルボニル基を２個有するジケトン類は各種の化合物の合成中間体として有用な化合物である。例えば、２，１５−ヘキサデカンジオンは叢香の香気成分であるムスコンの有用な合成中間体であることが知られている。２，１５−ヘキサデカンジオンの製造方法はいくつか知られているが、比較的反応工程数の少ないものは以下のとおりである。
▲１▼１，１０−ジブロモデカンにアセト酢酸エステルのナトリウム塩を反応させることによってジケトジエステルを合成し、得られたジケトジエステルを酸性条件下で加水分解した後、脱炭酸させる方法〔Helv. Chim. Acta., 30, 2019 (1947)参照〕
▲２▼２，２′：５′，２″−テルチオフェンをリン酸触媒存在下無水酢酸を用いてジアセチル化した後、脱硫黄反応させる方法〔J. Am. Chem. Soc., 82, 1447 (1960) 参照〕。
▲３▼１，６−へキサンジアールをビニルグリニヤール試薬と反応させてビニル化し、さらにアセト酢酸メチルと反応させてアセト酢酸エステルに変換した後、得られたアセト酢酸エステルに対してCarrol転位反応および水素添加反応を施す方法〔欧州特許第４００５０９号明細書参照〕。
▲４▼１，１４−テトラデカンジカルボン酸を酸塩化物とした後にメチル銅試薬と反応させる方法〔Bull. Chem. Soc. Jpn., 56, 345 (1983) 参照〕。
【０００３】
【発明が解決しようとする課題】
しかしながら上記の方法には以下に述べるような問題点がある。即ち、反応試薬として、比較的高価なアセト酢酸エステル（▲１▼および▲３▼の製造方法) やビニルグリニヤール試薬（▲３▼の製造方法）、または非常に高価なメチル銅試薬（▲４▼の製造方法）を使用することが必要である。また、出発原料として、非常に高価であり、工業的規模で多量に入手することが困難な２，２′：５′，２″−テルチオフェン（▲２▼の製造方法）や１，１４−テトラデカンジカルボン酸（▲４▼の製造方法）を使用することが必要である。また、上記▲１▼の製造方法では、多量（１，１０−ジブロモデカン１モル当たり２モル）の臭化ナトリウムが生成し、この塩の処理が煩雑である。
以上のように２，１５−ヘキサデカンジオンの製造方法は幾つか知られているが、いずれも工業的に実施する上で有利な方法であるとはいいがたい。
【０００４】
しかして、本発明は、２，１５−ヘキサデカンジオンを包含する特定の構造を有するジケトン類を安価かつ短工程で工業的に有利に製造できる方法を提供することを課題とする。
【０００５】
【課題を解決するための手段】
本発明によれば上記の課題は、式（２）
【化４】
ＯＨＣ−Ｒ１−ＣＨＯ        （２）
（式中、Ｒ１は、置換基を有していてもよい炭素数４以上の２価の炭化水素基を表す）
で示されるジアルデヒド類と、式（３）
【化５】
Ｒ２ＣＯＣＨ２Ｒ３        （３）
（式中、Ｒ２は置換基を有していてもよい炭素数１〜６の低級アルキル基を表し、Ｒ３は置換基を有していてもよい炭素数１〜６の低級アルキル基または水素原子を表す）
で示されるケトン類と、水素とを、塩基性物質および水素添加触媒の存在下で反応させることからなる式（１）
【化６】
Ｒ２ＣＯＣＨ（Ｒ３）ＣＨ２−Ｒ４−ＣＨ２ＣＨ（Ｒ３）ＣＯＲ２  （１）
（式中、Ｒ２およびＲ３は前記定義と同じであり、Ｒ４はＲ１と同一の基であるか、またはＲ１が炭素−炭素不飽和結合を有する場合、該不飽和結合の少なくとも一部が水素添加されたものに相当する基であってもよい）
で示されるジケトン類の製造方法を提供することによって解決される。
【０００６】
【発明の実施の形態】
以下、本発明を詳細に説明する。
本発明のジケトン類の製造方法は、塩基性物質および水素添加触媒の存在下で、水素とジアルデヒド類とケトン類とを反応させることを特徴とする。ここで、ジアルデヒド類としては、式（２）
【化７】
ＯＨＣ−Ｒ1 −ＣＨＯ                    （２）
（式中、Ｒ1 は、置換基を有していてもよい炭素数４以上の２価の炭化水素基を表す）
で示される化合物を使用する。ここで、Ｒ1 が表す炭素数４以上の２価の炭化水素基としては、例えば、テトラメチレン基、ペンタメチレン基、ヘキサメチレン基等のアルキレン基；１，４−シクロヘキシレン基、１，４−シクロオクチレン基、１，５−シクロオクチレン基等のシクロアルキレン基；フェニレン基、トリレン基、ナフチレン基等のアリーレン基などが挙げられる。また、Ｒ1 はアルケニレン基等の脂肪族炭素−炭素不飽和結合を有するものであってもよい。Ｒ1 の炭素数には特に上限はないが、２０以下であることが好ましい。
Ｒ1 は置換基を有していてもよいが、反応が塩基性物質の存在下で行われる関係上、塩基性条件下で不活性な置換基であることが必要である。このような置換基としては、アルコキシ基、アセタール型に保護されたホルミル基、水酸基等を挙げることができる。
【０００７】
式（２）のジアルデヒド類の具体例を示せば、１，６−ヘキサンジアール、２−メチル−１，６−ヘキサンジアール、１，７−ヘプタンジアール、１，８−オクタンジアール、２−メチル−１，８−オクタンジアール、２，７−ジメチル−１，８−オクタンジアール、１，９−ノナンジアール、２−メチル−１，９−ノナンジアール、２，８−ジメチル−１，９−ノナンジアール、１，１０−デカンジアール、１，１１−ウンデカンジアール、１，１２−ドデカンジアール、１，４−シクロヘキサンジカルボアルデヒド、テレフタルアルデヒド等を挙げることができる。
【０００８】
式（２）で示されるジアルデヒド類は、対応するジオールを常法に従って酸化することによって、また、ブタジエンの水和二量化によって得られる７−オクテン−１−アール等の不飽和アルデヒドまたは１，７−オクタジエン等のジエン類をヒドロホルミル化することによって製造することができ、安価に工業的規模で入手することができる。
【０００９】
式（２）のジアルデヒド類に縮合させるケトン類としては、式（３）
【化８】
Ｒ２ＣＯＣＨ２Ｒ３        （３）
（式中、Ｒ２は置換基を有していてもよい炭素数１〜６の低級アルキル基を表し、Ｒ３は置換基を有していてもよい炭素数１〜６の低級アルキル基または水素原子を表す）
で示されるケトン類を使用する。ここで、Ｒ２またはＲ３の置換基を有していてもよい炭素数１〜６の低級アルキル基としては、例えば、メチル基、エチル基、イソプロピル基などを挙げることができる。Ｒ２および／またはＲ３は反応に悪影響を及ぼさないものである限り置換基を有していてもよい。
【００１０】
式（３）で示されるケトン類の具体例としては、アセトン、メチルエチルケトン、ジエチルケトン、メチルイソプロピルケトン等が挙げられる。
これらの中でも本発明の製造方法を実施するに際しては、式（３）のケトン類としてＲ2 がメチル基であるかまたはＲ3 が水素原子であるケトン類を使用することが好ましく、アセトンを使用することがより好ましい。
【００１１】
以上の式（２）のジアルデヒド類と式（３）のケトン類と水素とから得られる、本発明の目的化合物は、式（１）
【化９】
Ｒ2 ＣＯＣＨ（Ｒ3 )ＣＨ2 −Ｒ4 −ＣＨ2 ＣＨ（Ｒ3 )ＣＯＲ2   （１）
（式中、Ｒ2 およびＲ3 は前記定義と同じであり、Ｒ4 はＲ1 と同一の基であるか、またはＲ1 が炭素−炭素不飽和結合を有する場合、該不飽和結合の少なくとも一部が水素添加されたものに相当する基であってもよい）
で示されるジケトン類である。
【００１２】
次に、本発明の製造方法の反応条件と反応操作について説明する。
本発明において使用する式（２）のジアルデヒド類と式（３）のケトン類の比率は特に限定されないが、一般にケトン類より高価で且つ自己縮合性の高い式（２）のジアルデヒド類基準での目的とするジケトン類の選択率を高めることが工業的に実施する上で有利である。従って、式（３）のケトン類を式（２）のジアルデヒド類１モルに対して通常１．８〜２０モル、好ましくは２〜１０モル、より好ましくは２．２〜６モルの範囲内で使用する。
【００１３】
本発明において使用される塩基性物質としては、例えば、水酸化ナトリウム、水酸化カリウム等のアルカリ金属の水酸化物；水酸化バリウム、水酸化カルシウム等のアルカリ土類金属の水酸化物；炭酸カリウム等のアルカリ金属の炭酸塩；１，５−ジアザビシクロ［５．４．０］ウンデセン−５（ＤＢＵ）、ピペリジン等のアミン類等を挙げることができる。これらは、一種類のものを使用してもよいし、二種以上を混合して使用してもよい。
【００１４】
また、塩基性物質はそのままの状態で使用することもできるが、水溶液としても使用できる。本発明では、上記の塩基性物質の中でも、アルカリ金属の水酸化物、アルカリ土類金属の水酸化物を使用することが好ましく、その使用形態は、通常０．５〜５０重量％の水溶液、好ましくは１〜３０重量％の水溶液である。塩基性物質の使用量は、式（２）のジアルデヒド類１モルに対して通常０．０１〜０．３モルであるが、反応速度および製造コストの観点から、好ましくは０．０２〜０．２モルである。
【００１５】
本発明に用いる水素添加触媒としては、一般に、接触水素添加反応に用いられる触媒、中でも、α，β−不飽和カルボニル化合物の炭素−炭素二重結合を選択的に水素添加する際に用いられる触媒を使用することができ、例えば、パラジウム、ロジウム、ニッケル、白金等を活性成分とする触媒を挙げることができる。
これらの水素添加触媒の形態としては、金属単体；金属酸化物あるいは他の金属との合金；活性炭、アルミナ、シリカゲル、ケイソウ土などの担体に担持させたもののいずれであってもよい。これらの中でも、パラジウムカーボン、パラジウムアルミナ、ラネーニッケル、白金カーボン等が好ましく、パラジウムカーボン、パラジウムアルミナ等がより好ましい。
水素添加触媒の使用量は、式（２）のジアルデヒド類１重量部に対して通常０．０００５〜０．１重量部であり、反応速度および目的とするジケトン類の製造コストの観点から、式（２）のジアルデヒド類１重量部に対して０．００１〜０．０３重量部であることが好ましい。
【００１６】
本発明において溶媒の使用は必ずしも必要ではないが、反応に悪影響を及ぼさない限り溶媒を使用しても差し支えない。使用可能な溶媒としては、例えば、テトラヒドロフラン、１，４−ジオキサン、ジエチルエーテル、ジイソプロピルエーテル、ジブチルエーテル等のエーテル系溶媒；ヘキサン、ヘプタン、オクタン、ベンゼン、トルエン、キシレン等の炭化水素系溶媒等が挙げられる。
【００１７】
本発明の製造方法の具体的な反応操作としては、例えば、所定の反応温度範囲内且つ水素雰囲気下で、式（２）のジアルデヒド類、式（３）のケトン類、塩基性物質および水素添加触媒を、汎用的な装置を用いて通常の操作によって混合するという操作を挙げることができる。この場合、反応に供する各成分の混合順序や混合速度については特に制限はなく、反応に供する全ての成分、即ち、式（２）のジアルデヒド類、式（３）のケトン類、塩基性物質および水素添加触媒を一度に混合してもよく、あるいは式（２）のジアルデヒド類、式（３）のケトン類および塩基性物質のうち１つあるいは２つを水素添加触媒とともに反応容器に仕込み、残りの成分を反応容器内に連続的に添加してもよい。ここで、「連続的に添加」とは、添加すべき成分を複数回に分けて添加することを包含する。特に、各成分の混合方法として、反応の暴走を抑止するために、水素添加触媒を式（３）のケトン類に懸濁させた懸濁液中に塩基性物質と式（２）のジアルデヒド類とをそれぞれ連続的に添加することが好ましい。このようにして各成分を混合することにより、反応の開始から終了までのほとんどの期間中、反応系において式（２）のジアルデヒド類に対して式（３）のケトン類が大過剰存在することになり、結果的に式（２）のジアルデヒド類同士の縮合などによる副反応を抑制できる。
【００１８】
反応温度は、通常２０〜１８０℃の範囲内であるが、反応速度を実用的な速さとするためには、４０〜１４０℃の範囲内であることが好ましい。
反応に要する時間は、使用する塩基性物質の種類、濃度や反応温度等により異なるが、前述したように水素添加触媒を式（３）のケトン類に懸濁させた懸濁液中に塩基性物質と式（２）のジアルデヒド類をそれぞれ連続的に添加する場合には、通常、塩基性物質と式（２）のジアルデヒド類の添加に要する時間として０．５〜１０時間、添加終了後の追込み時間として０〜２０時間である。
なお、塩基性物質と式（２）のジアルデヒド類の添加中および反応の追い込み中は、反応混合物の撹拌を十分に行うことが望ましい。
【００１９】
本発明において、水素は、式（２）のジアルデヒド類、式（３）のケトン類、塩基性物質および水素添加触媒の混合物の表面に接触させればよいが、その混合物中に導入（バブリング）してもよい。
反応系中の水素の圧力は、通常１〜１００気圧の範囲であるが、１〜１０気圧の範囲とすることが好ましい。
【００２０】
反応終了後、目的の式（１）のジケトン類は、例えば、反応混合物から水素添加触媒を濾過あるいは遠心分離等によって除いた後の反応液から水層を分離し、残りの有機層を蒸留する方法や、反応混合物から水素添加触媒を濾別し、濾液から目的とするジケトン類を有機溶媒によって抽出し、得られた有機層から有機溶媒を常圧または減圧下に留去する方法、反応混合物から水素添加触媒を濾別し、濾液から水層を分離して得られた有機層の低沸点成分を留去した後、残渣を溶媒を用いて結晶化させる方法などの一般的な手法により単離することができる。なお、上記において抽出に使用する有機溶媒としては、例えば、トルエン、ベンゼン、ヘキサン、シクロヘキサンなどの炭化水素溶媒；塩化メチレン、クロロホルム、四塩化炭素、ジクロロエタンなどのハロゲン化炭化水素溶媒などが挙げられる。
かくして得られた式（１）のジケトン類は、減圧蒸留、シリカゲルカラムクロマトグラフィー、再結晶等の常法によりさらに純度を高めることができる。
【００２１】
以上説明したように、本発明の製造方法によれば、式（２）のジアルデヒド類と式（３）のケトン類と水素とを、塩基性物質および水素添加触媒の存在下で反応させることにより、一段階で式（１）のジケトン類を製造することができる。
【００２２】
【実施例】
以下、実施例により本発明を具体的に説明するが、本発明はかかる実施例に限定されるものではない。
【００２３】
実施例１
攪拌機を備えた内容積１リットルのステンレス製オートクレーブにアセトン２７．４ｇ（０．４７モル）および２％水酸化ナトリウム水溶液２４．０ｇ（１２ミリモルの水酸化ナトリウムを含有する）を仕込み、窒素雰囲気下１０％パラジウムカーボン（水素添加触媒）０．０８ｇを加え、オートクレーブの内温を１００℃まで昇温した。その後、オートクレーブ内に水素を導入し、オートクレーブ内の圧力を７Ｋｇ／ｃｍ2 （ゲージ圧）とし〔水素の圧力：３．８Ｋｇ／ｃｍ2 〕、１，１０−デカンジアール２０．０ｇ（純度９０％、０．１１２モル）をテトラヒドロフラン１００ｇに溶解してなる溶液を、フィードポンプを用いて上記で得られた混合物中に３時間かけて連続的に添加した。その添加の間、反応混合物の液温を９９〜１０１℃に保持するとともに、反応で消費された分の水素をオートクレーブに供給し、オートクレーブ内の圧力を７Ｋｇ／ｃｍ2 （ゲージ圧）に維持した。１，１０−デカンジアールのテトラヒドロフラン溶液の添加終了後、反応混合物の温度を上記の範囲に保ったまま１．５時間攪拌を続けて反応を追い込み、室温まで冷却したところ白色結晶が析出した。
得られた反応混合物に塩化メチレンを加えて析出した白色結晶を溶解させた後、パラジウムカーボンを濾過により除去し、二層に分かれた濾液から有機層を分離した。得られた有機層から低沸点成分を減圧下に留去し、得られた固体状の残渣をｎ−ヘキサンを用いて再結晶することにより１７．８ｇの白色結晶（融点：７６〜７８℃）を得た。
1 Ｈ−ＮＭＲ分析の結果、得られた結晶は２，１５−ヘキサデカンジオンであることが分った。１，１０−デカンジアール基準での収率は６３．１％である。
【００２４】
実施例２
攪拌機を備えた内容積１リットルのガラス製オートクレーブにアセトン８９．５ｇ（１．５４モル）を仕込み、窒素雰囲気下、１０％パラジウムカーボン（水素添加触媒）０．２２ｇを加えた。オートクレーブの内温を１００℃まで昇温したところ、オートクレーブ内の圧力は約３．２Ｋｇ／ｃｍ2 （ゲージ圧）となった。オートクレーブ内に水素を導入し、オートクレーブ内の圧力を６．９Ｋｇ／ｃｍ2 （ゲージ圧）とし〔水素の圧力：３．７Ｋｇ／ｃｍ2 〕、次いで、２％水酸化ナトリウム水溶液１２５．０ｇ（６３ミリモルの水酸化ナトリウムを含有する）および１，９−ノナンジアールと２−メチル−１，８−オクタンジアールの混合物（前者／後者＝７５／２５）１０９．２ｇ（０．７モル）を、それぞれフィードポンプを用いて上記で得られた混合物中に２００分かけて連続的に添加した。その添加の間、反応混合物の液温を９６〜１０２℃に保持するとともに、オートクレーブ内の圧力が６．９Ｋｇ／ｃｍ2 （ゲージ圧）に維持されるように反応で消費された分の水素をオートクレーブに供給した。水酸化ナトリウム水溶液と１，９−ノナンジアールと２−メチル−１，８−オクタンジアールの混合物の添加終了後、反応混合物の温度を上記の範囲に保持したまま１．５時間攪拌を続けて反応を追い込み、室温まで冷却したところ白色結晶が析出した。
得られた反応混合物に塩化メチレンを加えて析出した白色結晶を溶解させた後、パラジウムカーボンを濾過により除去し、二層に分かれた濾液から有機層を分離した。得られた有機層から低沸点成分を減圧下に留去し、得られた固体状の残渣をｎ−ヘキサンを用いて再結晶することにより５８．３ｇの白色結晶を得た。また再結晶母液を濃縮し、再度ｎ−ヘキサンから再結晶することにより２３．２ｇの白色結晶を得た。上記で得られた合計で８１．５ｇの白色結晶の融点は７３〜７５℃であった。
1 Ｈ−ＮＭＲ分析の結果、得られた結晶は２，１４−ペンタデカンジオンであることが分った。１，９−ノナンジアール基準での収率は６４．７％である。
さらに、上記において２３．２ｇの白色結晶を取得した後の再結晶母液を濃縮し、シリカゲルカラムクロマトグラフィーで精製することにより、２−メチル−１，８−オクタンジアールとアセトンが反応した形の５−メチル−２，１３−テトラデカンジオンを得た。このものの物性値を以下に示す。
低分解能マススペクトル（ＥＩＭＳ）
ｍ／ｚ：２４０（Ｍ+ ）
【００２５】
実施例３
攪拌機を備えた内容積１リットルのガラス製オートクレーブにアセトン８２．３ｇ（１．４２モル）および２％水酸化ナトリウム水溶液７１．０ｇ（３６ミリモルの水酸化ナトリウムを含有する）を仕込み、窒素雰囲気下、５％パラジウムカーボン（水素添加触媒）０．０９ｇを加え、オートクレーブの内温を１００℃まで昇温した。その後、オートクレーブ内に水素を導入し、オートクレーブ内の圧力を７．０Ｋｇ／ｃｍ2 （ゲージ圧）とし、１，６−ヘキサンジアール４５．０ｇ（純度：９０％、３５５ミリモル）を、フィードポンプを用いて上記で得られた混合物中に２２０分かけて連続的に添加した。その添加の間、反応混合物の液温を９９〜１０１℃に保持するとともに、オートクレーブ内の圧力が７．０Ｋｇ／ｃｍ2 （ゲージ圧）に維持されるように反応で消費された分の水素をオートクレーブに供給した。１，６−ヘキサンジアールの添加終了後、反応混合液の温度を上記の範囲に保持したまま０．５時間攪拌を続けて反応を追い込み、室温まで冷却した。
反応混合物からパラジウムカーボンを濾過により除去した後、二層に分離した濾液から有機層を分離し、ガスクロマトグラフィー〔キャピラリーカラム：ＣＢＰ−１０（商品名、島津製作所（株）社製）、カラム長：５０ｍ、カラム温度：７０℃→１７０℃（昇温速度：５℃／分）〕で分析したところ、有機層中に２，１１−ドデカンジオンが３７．１ｇ（１，６−ヘキサンジアール基準での収率：５２．８％）含まれていることが分った。上記で得られた有機層を減圧下に蒸留することによって、２，１１−ドデカンジオン（ｂ．ｐ．：８２℃／１０ｍｍＨｇ、純度：９１％）を３０．４ｇ得た。
【００２６】
【発明の効果】
本発明の製造方法によれば、特定のジアルデヒド類とケトン類と水素とを、塩基性物質と水素添加触媒の存在下で反応させることにより、一段階で対応するジケトン類を安価に製造することができる。